(57)【要約】【課題】  コストを抑えつつ表面光沢度及びガスバリヤ性を保持する燃料タンク用中空容器及びその製造方法の提供。【解決手段】  樹脂粒子の表面をフッ化処理して表面フッ化処理樹脂粒子を得るフッ化処理工程；及び表面フッ化処理樹脂粒子を燃料タンク用中空容器に成形する成形工程を有する燃料タンク用中空容器の製造方法により、上記課題を解決する。特に、燃料タンク用中空容器のフッ素量が１〜５００ｍｇ／ｃｍ３であり、その燃料透過量が１５．０ｇ・ｍｍ／ｍ２・ｄａｙ以下であり、且つ該容器の外表面の表面光沢度が３０％以上であることにより、上記課題を解決する。【選択図】      なし【特許請求の範囲】
【請求項１】
樹脂及び該樹脂をフッ化処理したフッ化処理部位を有し、表面光沢度が３０％以上である燃料タンク用中空容器。
【請求項２】
前記燃料タンク用中空容器の燃料透過量が１５．０ｇ・ｍｍ／ｍ２・ｄａｙ以下である請求項１記載の燃料タンク用中空容器。
【請求項３】
前記フッ化処理部位は、燃料タンク用中空容器のフッ素量が１〜５００ｍｇ／ｃｍ３である請求項１又は２記載の燃料タンク用中空容器。
【請求項４】
樹脂及び該樹脂をフッ化処理したフッ化処理部位を有するフッ化物含有樹脂層を有する燃料タンク用中空容器であって、該容器の外表面の表面光沢度が３０％以上である燃料タンク用中空容器。
【請求項５】
前記フッ化物含有樹脂層のフッ素量が１〜５００ｍｇ／ｃｍ３である請求項４記載の燃料タンク用中空容器。
【請求項６】
前記燃料タンク用中空容器の燃料透過量が１５．０ｇ・ｍｍ／ｍ２・ｄａｙ以下である請求項４又は５記載の燃料タンク用中空容器。
【請求項７】
樹脂粒子の表面をフッ化処理して表面フッ化処理樹脂粒子を得、その表面フッ化処理樹脂粒子を燃料タンク用中空容器に成形する成形工程を有する燃料タンク用中空容器の製造方法。
【請求項８】
前記成形工程を、ブロー成形；回転成形；並びに射出及び溶着成形からなる群から選ばれる少なくとも１種により行う請求項７記載の方法。
【発明の詳細な説明】
【技術分野】
【０００１】
本発明は、燃料タンク等に用いられるガスバリヤ性を有する燃料タンク用中空容器及びその製造方法に関する。特に、本発明は、ポリマー及び該ポリマーに含有されるフッ化処理部位を有する燃料タンク用中空容器及びその製造方法に関する。
【背景技術】
【０００２】
近年、各種車両用部品の分野において、軽量化による燃費の向上、形状の自由度などの利点から、樹脂製の燃料タンクが要望されている。燃料タンクは、その性質上、高いガスバリヤ性（燃料の耐透過性）、及び高い衝撃強度を有することが望まれている。
高いガスバリヤ性を達成する手法の一つとして、樹脂から燃料タンクを成形し、その後、その成形品である燃料タンクの表面をフッ化処理する手法が、特許文献１に開示されている。
【特許文献１】特開昭６０−６７３５号公報。
【発明の開示】
【発明が解決しようとする課題】
【０００３】
しかしながら、燃料タンク用中空容器をフッ化処理するには、該燃料タンク用中空容器を反応器に収め、該反応器内にフッ化処理用ガス（例えば、フッ素ガス単独、又はフッ素ガスと各種ガスとの混合ガス）を充満させて、フッ化処理する工程が必要となる。即ち、この手法では、反応器として大きな設備が必要であり、設備投資面におけるコストの問題点を有していた。また、反応器内にフッ素ガス等を充満させなければならないため、反応に用いるフッ素ガス等を無駄にするという原材料面におけるコストの問題点も有していた。
また、このようなフッ化処理は、得られる燃料タンク用中空容器の外観が損なわれるという欠点、具体的には、燃料タンク用中空容器の表面光沢が失われるという欠点を有していた。
【０００４】
そこで、本発明の目的は、上記の従来の問題点を解決することにある。
即ち、本発明の目的は、設備投資面及び原材料面のコストを抑えつつ表面光沢を有し且つガスバリヤ性を保持する燃料タンク用中空容器及びその製造方法を提供することにある。
【課題を解決するための手段】
【０００５】
本発明者らは、以下の発明により、上記課題を解決できることを見出した。
＜１＞  樹脂及び該樹脂をフッ化処理したフッ化処理部位を有し、表面光沢度が３０％以上、好ましくは３５％以上、より好ましくは３８％以上である燃料タンク用中空容器。
＜２＞  上記＜１＞において、燃料タンク用中空容器の燃料透過量が１５．０ｇ・ｍｍ／ｍ２・ｄａｙ以下、好ましくは１０．０ｇ・ｍｍ／ｍ２・ｄａｙ以下、より好ましくは３．０ｇ・ｍｍ／ｍ２・ｄａｙ以下であるのがよい。
＜３＞  上記＜１＞又は＜２＞において、フッ化処理部位は、燃料タンク用中空容器のフッ素量が１〜５００ｍｇ／ｃｍ３、好ましくは１０〜３００ｍｇ／ｃｍ３、より好ましくは５０〜２００ｍｇ／ｃｍ３であるのがよい。
【０００６】
＜４＞  樹脂及び該樹脂をフッ化処理したフッ化処理部位を有するフッ化物含有樹脂層を有する燃料タンク用中空容器であって、該容器の外表面の表面光沢度が３０％以上、好ましくは３５％以上、より好ましくは３８％以上である燃料タンク用中空容器。
＜５＞  上記＜４＞において、フッ化物含有樹脂層のフッ素量が１〜５００ｍｇ／ｃｍ３、好ましくは１０〜３００ｍｇ／ｃｍ３、より好ましくは５０〜２００ｍｇ／ｃｍ３であるのがよい。
＜６＞  上記＜４＞又は＜５＞において、燃料タンク用中空容器の燃料透過量が１５．０ｇ・ｍｍ／ｍ２・ｄａｙ以下、好ましくは１０．０ｇ・ｍｍ／ｍ２・ｄａｙ以下、より好ましくは３．０ｇ・ｍｍ／ｍ２・ｄａｙ以下であるのがよい。
【０００７】
＜７＞  樹脂粒子の表面をフッ化処理して表面フッ化処理樹脂粒子を得、その表面フッ化処理樹脂粒子を燃料タンク用中空容器に成形する成形工程を有する燃料タンク用中空容器の製造方法。
＜８＞  上記＜７＞において、成形工程を、ブロー成形；回転成形；並びに射出及び溶着成形からなる群から選ばれる少なくとも１種により行うのがよい。
＜９＞  上記＜７＞又は＜８＞において、燃料タンク用中空容器のフッ素量が１〜５００ｍｇ／ｃｍ３、好ましくは１０〜３００ｍｇ／ｃｍ３、より好ましくは５０〜２００ｍｇ／ｃｍ３であるのがよい。
＜１０＞  上記＜７＞〜＜９＞のいずれかにおいて、燃料タンク用中空容器の燃料透過量が１５．０ｇ・ｍｍ／ｍ２・ｄａｙ以下、好ましくは１０．０ｇ・ｍｍ／ｍ２・ｄａｙ以下、より好ましくは３．０ｇ・ｍｍ／ｍ２・ｄａｙ以下であるのがよい。
【発明の効果】
【０００８】
本発明により、設備投資面及び原材料面のコストを抑えつつ表面光沢を有し且つガスバリヤ性を保持する燃料タンク用中空容器及びその製造方法を提供することができる。
【発明を実施するための最良の形態】
【０００９】
以下、本発明を詳細に説明する。
本発明は、樹脂及び該樹脂をフッ化処理したフッ化処理部位を有する構成面を有する燃料タンク用中空容器であって、該容器の外表面の表面光沢度が３０％以上、好ましくは３５％以上、より好ましくは３８％以上である燃料タンク用中空容器を提供する。
本発明に用いられる樹脂は、特に限定されないが、例えば熱可塑性樹脂、熱硬化性樹脂など、種々の樹脂を挙げることができる。具体的には、エチレン、プロピレン、１−ブテン、３−メチル−１−ブテンなどのα−オレフィンの単独重合体及び２種以上のコモノマーからなる共重合体、上記α−オレフィンと他の共重合可能なモノマー（例えば、スチレン、アクリロニトリル、塩化ビニル、酢酸ビニル、メタクリル酸及びその誘導体）との共重合体などのオレフィン系樹脂；及び６ナイロン、６６ナイロン、１１ナイロン、１２ナイロンなどのポリアミド系樹脂を挙げることができる。また、フェノール樹脂、ポリエステル、ポリエーテル、ポリスルホン、ポリカーボネート、ポリエポキシ、セルロース系誘導体なども挙げることができる。さらには、上記重合体のうち、２種以上によるブロック共重合体、グラフト重合体なども挙げることができる。
【００１０】
なお、本発明に用いられる樹脂には、後述のフッ化処理前に、種々の成分を微粒子として添加してもよい。これらの成分の微粒子として、二酸化ケイ素、酸化亜鉛、酸化マグネシウム、酸化カルシウム、酸化バリウムなどの無機酸化物；ポリテトラフルオロエチレン、ポリフッ化ビニリデンなどのフッ素化樹脂；エチレン−ビニルアルコール共重合体、プロピレン−ビニルアルコール共重合体、ナイロン、ポリエチレンテレフタレート、ポリブチレンテレフタレート、ポリスルホン、ポリフェニレンスルファイド、ポリカーボネートなど；を挙げることができるが、これらに限定されない。
【００１１】
本発明の燃料タンク用中空容器は、その構成物質として、上記樹脂が含まれる他、該樹脂をフッ化処理したフッ化処理部位を含有する。換言すると、本発明の燃料タンク用中空容器は、フッ素が上記樹脂中に含有されてなる。
本発明の燃料タンク用中空容器中のフッ化処理部位とは、燃料タンク用中空容器を形成する樹脂のポリマー分子の全体又はその一部がフッ化処理された部位を意味する。例えば、樹脂としてポリエチレンを用いた場合、ｉ）ポリエチレン分子のうち、一部の分子のＨ−（ＣＨ２−ＣＨ２）ｎ−ＨのすべてのＨがＦとなる一方、その他の分子がフッ化されていない場合、ｉｉ）ポリエチレン分子のうち、すべて又は一部のポリエチレン分子のＨ−（ＣＨ２−ＣＨ２）ｎ−Ｈの一部がＦとなる場合、ｉｉｉ）上記ｉ）とｉｉ）とが存在する場合、を意味する。なお、樹脂のフッ化処理法に関しては後述する。
【００１２】
燃料タンク用中空容器のフッ素の量は、１〜５００ｍｇ／ｃｍ３、好ましくは１０〜３００ｍｇ／ｃｍ３、より好ましくは５０〜２００ｍｇ／ｃｍ３であるのがよい。なお、フッ素量は、一般的な元素分析法によって測定することができる。
【００１３】
本発明の燃料タンク用中空容器は、その燃料透過量が１５．０ｇ・ｍｍ／ｍ２・ｄａｙ以下、好ましくは１０．０ｇ・ｍｍ／ｍ２・ｄａｙ以下、より好ましくは３．０ｇ・ｍｍ／ｍ２・ｄａｙ以下であるのがよい。
なお、本願において、「燃料透過量」は、特記しない限り、燃料タンク用中空容器を用いて、測定温度：４０±２℃でガソリン透過量（ｇ・ｍｍ／ｍ２・ｄａｙ）を測定したものをいう。ここで、測定に用いるガソリンは、ガソリン含有量が９０ｖｏｌ％のものを使用する。ガソリン透過量（ｇ・ｍｍ／ｍ２・ｄａｙ）が一定になってからその透過量を測定し、単位が示すように、単位面積、単位厚さ、１日あたりの透過量として標準化する。ここで、一定とは１０回連続して測定した透過量の変動が±５％以内になったことをいう。厚みに分布がある場合には「単位厚さ」を導くために、平均厚さを用いることができる。また、「燃料透過量」は、いわゆるカップ法によって測定することもできる。この場合、使用するガソリン、測定温度等は、上記と同一の条件で行うことにより、ほぼ同一のガソリン透過量（ｇ・ｍｍ／ｍ２・ｄａｙ）を測定することができる。
【００１４】
本発明の燃料タンク用中空容器は、樹脂をフッ化処理したフッ化処理部位が樹脂に含有されてなるフッ化物含有樹脂層のみから成る中空容器であっても、該フッ化物含有樹脂層を有する燃料タンク用中空容器であってもよい。例えば、本発明の燃料タンク用中空容器を燃料タンクに用いる場合、フッ化物含有樹脂層の上層及び／又は下層にフッ化物層、例えばテトラフルオロエチレンからなる層を設けることにより、耐燃料透過性をさらに高めることができる。
【００１５】
本発明の燃料タンク用中空容器は、その表面の表面光沢度が３０％以上、好ましくは３５％以上、より好ましくは３８％以上であるのがよい。なお、本発明の燃料タンク用中空容器がフッ化物含有樹脂層を含む場合、該フッ化物含有樹脂層は最外表面であってもそれ以外であってもよい。いずれの場合であっても、燃料タンク用中空容器の表面の表面光沢度が３０％以上、好ましくは３５％以上、より好ましくは３８％以上であるのがよい。
本発明において、表面光沢度は、ＢＹＫ光沢度計（MINOLTA MULTI-GROWW 268）を用いて、入射角６０℃の設定で測定した反射光強度を表面光沢度とした。試料の面の５点を測定点として測定し、その平均値を表面光沢度として採用した。
【００１６】
本発明の燃料用タンク用中空容器は、その形態については特に限定されない。例えば、燃料タンクの形態として、表面フッ化樹脂で作製した樹脂製燃料タンクの表面及び／又は周囲にガラス繊維、炭素繊維などを巻き付けて強度を向上させたフィラメント・ワインディングタンクであってもよい。
【００１７】
本発明の燃料タンク用中空容器は、次の方法により製造することができる。
即ち、樹脂粒子の表面をフッ化処理して表面フッ化処理樹脂粒子を得、その表面フッ化処理樹脂粒子を燃料タンク用中空容器に成形する成形工程を有する燃料タンク用中空容器の製造方法により製造することができる。
【００１８】
以下、本発明の方法について詳述する。
本発明の方法は、まず、樹脂粒子の表面をフッ化処理して表面フッ化処理樹脂粒子を得る工程に付される。
本発明の方法に用いられる樹脂粒子の樹脂は、上述した通りである。
樹脂粒子の粒径は、特に限定されないが、１〜１００μｍであれば、その後の成形工程において都合がよい。
【００１９】
従来より公知のフッ化処理法を用いて本発明のフッ化処理を行うことができる。例えば、樹脂粒子をフッ化処理反応器に入れ、該容器内をフッ化処理用ガス雰囲気下にすることによりフッ化処理することができる。フッ化処理用ガスとしては、フッ素ガス単独及びフッ素ガスとその他のガス、例えば酸素ガス、窒素ガス又は各種不活性ガスとの混合物を用いることができる。
フッ化処理工程の各種条件は、所望の表面フッ化処理状態に依存する。フッ化処理される表面の厚さは、一般に、０．１〜５０μｍ、好ましくは１〜１０μｍであるのがよい。
【００２０】
本発明の方法は、次いで、成形工程に付される。
成形工程において、上記で得られた表面フッ化処理樹脂粒子を燃料タンク用中空容器に成形する。燃料タンク用中空容器に成形する手法は、従来より公知の各種の手法を用いることができ、例えばブロー成形；回転成形；並びに射出及び溶着成形からなる群から選ばれる少なくとも１種を用いることができる。
成形工程における手法及び各手法における各種条件は、用いる樹脂、表面フッ化処理の厚さなどに依存する。
【００２１】
上記のフッ化処理部位は、そのフッ素量が１〜５００ｍｇ／ｃｍ３、好ましくは１０〜３００ｍｇ／ｃｍ３、より好ましくは５０〜２００ｍｇ／ｃｍ３であるのがよい。
また、本発明の方法により得られる燃料タンク用中空容器は、その燃料透過量が１５．０ｇ・ｍｍ／ｍ２・ｄａｙ以下、好ましくは１０．０ｇ・ｍｍ／ｍ２・ｄａｙ以下、より好ましくは３．０ｇ・ｍｍ／ｍ２・ｄａｙ以下であるのがよい。
【００２２】
本発明の方法は、成形工程後、燃料タンク用中空容器に各種修飾を施す工程をさらに有してもよい。例えば、本発明により得られた燃料タンク用中空容器の表面に塗装を施す工程をさらに有してもよい。
上述の本発明の方法により、上記した本発明の燃料タンク用中空容器、フッ化物含有樹脂層を得ることができる。
以下、実施例に基づいて、本発明をさらに詳細に説明するが、本発明は本実施例に限定されるものではない。
【実施例１】
【００２３】
＜フッ化処理工程＞
粒径１〜３０μｍのポリエチレン樹脂５００ｇをフッ化処理用反応器に入れ、該反応器内を１ｍｍＨｇまで減圧した後、容器内の圧力が７００ｍｍＨｇとなるまでフッ素と窒素との混合ガス（フッ素１０ｖｏｌ％：窒素９０ｖｏｌ％）を導入して４時間静置した。その後、反応器から樹脂粒子を取り出し（樹脂粒子５３５ｇ）、ＥＰＡ（電子線マイクロアナライザー）で確認したところ、表面がフッ化処理されていることが観察された。
【００２４】
＜成形工程＞
上記で得られた表面をフッ化処理したポリエチレン樹脂粒子を用いて、該樹脂の温度を２３０℃として、ブロー成形を行い、燃料タンク用中空容器Ａ−１（２．０Ｌ）を作製した。
【００２５】
得られた燃料タンク用中空容器Ａ−１のガソリン透過性試験を行った（環境温度：４０±２℃）。その結果、燃料透過量は１１．０ｇ・ｍｍ／ｍ２・ｄａｙであった。
また、得られた中空容器Ａ−１の表面光沢度を、ＢＹＫ光沢度計（MINOLTA MULTI-GROWW 268）を用いて、入射角６０℃の設定で測定したところ、その結果は表面光沢度：４０％であった。
【００２６】
（比較例１）
実施例１で用いたフッ化処理したポリエチレン樹脂粒子を用いる代わりに、フッ化処理前のポリエチレン樹脂粒子を用いた以外、実施例１と同様にブロー成形して燃料タンク用中空容器Ａ−２（２．０Ｌ）を作製した。
この中空容器Ａ−２を用いて、実施例１と同様に、燃料透過量を測定したところ、燃料透過量は２０．０ｇ・ｍｍ／ｍ２・ｄａｙであった。実施例１と比較すると分かるように、実施例１の中空容器Ａ−１は、燃料透過性が少ないこと、即ちガスバリヤ性を有することがわかる。
【００２７】
（比較例２）
比較例１で作製した中空容器Ａ−２を反応容器中で、フッ素／窒素＝１０／９０（ｖｏｌ％）の混合ガスと反応させて、容器表面のフッ素化を行い、燃料タンク用中空容器Ａ−３を得た。得られた燃料タンク用中空容器Ａ−３のガソリン透過試験を、実施例１及び比較例１と同様に、行ったところ、燃料透過量は１２．０ｇ・ｍｍ／ｍ２・ｄａｙであった。また、実施例１と同様に、表面光沢度を測定したところ、表面光沢度：２０％であった。比較例２は、実施例１と比較して、燃料透過量がほぼ同じ値であるものの、表面光沢度が低く、外観が著しく損なわれていた。
【実施例２】
【００２８】
樹脂粒子が１０〜３０μｍのポリエチレン樹脂を用いる以外、実施例１の＜フッ化処理工程＞と同様にして調製したフッ化処理したポリエチレン樹脂（２０００ｇ）を用いて、回転成形により内容量１０Ｌ、構成面の厚さ約４ｍｍの燃料タンク用中空容器Ａ−４を作成した。回転成形条件は次の通りである。
加熱工程：２６０℃で２５分；
冷却工程：２分間の空冷＋１０分間の水冷。
得られた燃料タンク用中空容器Ａ−４のガソリン透過試験（得られた中空容器Ａ−４を測定容器として用いた。測定面積：４０００ｃｍ２；環境温度：４０±２℃）を行った。その結果、ガソリン透過量は１０．０ｇ・ｍｍ／ｍ２・ｄａｙであった。
また、実施例１と同様にして測定した表面光沢度は、６０％であった。
【実施例３】
【００２９】
実施例１の＜フッ化処理工程＞と同様にして調製したフッ化処理したポリエチレン樹脂（１５００ｇ）を用いて、射出成形及び熱板溶着法により内容量１０Ｌの燃料タンク用中空容器Ａ−５を作成した。即ち、射出成形により、中空容器の上側と下側とを作製し、その後に熱板溶着法（条件は、温度：２３０℃、時間：５分間であった）で中空容器の上側と下側とを溶着させた。
得られた燃料タンク用中空容器Ａ−５のガソリン透過試験（得られた中空容器Ａ−５を測定容器として用いた。測定面積：１５００ｃｍ２；環境温度：４０±２℃）を行った。その結果、ガソリン透過量は１３．０ｇ・ｍｍ／ｍ２・ｄａｙであった。
また、実施例１と同様にして測定した表面光沢度は、５０％であった。